【手続補正書】
【提出日】令和1年11月5日(2019.11.5)
【手続補正１】
【補正対象書類名】特許請求の範囲
【補正対象項目名】全文
【補正方法】変更
【補正の内容】
【特許請求の範囲】
【請求項１】
有害物質および／または放射性物質を含有する土壌と、前記土壌に対する所定割合の水
および固化材とを、混合攪拌機で混合してスラリーを作成する工程と、
前記スラリーを管に流す工程と、
前記管の下流端に対応する形状の充填口のみを開口として有する袋型枠を準備する工程
と、
前記管の前記下流端を前記充填口に接続して前記袋型枠の内部に前記スラリーを供給す
る工程と、
前記スラリーが前記袋型枠の内部で固形化するまで前記袋型枠を養生して、前記有害物
質および／または前記放射性物質を含有する固形体を製造する工程とを備える、汚染土壌
処理方法。
【請求項２】
前記工程のすべてが終了後、前記スラリーが付着した前記混合攪拌機および前記管を洗
浄する工程と、
前記洗浄によって生じる洗い水を貯留する工程とをさらに備え、
前記スラリーを作成する工程を再開する際、前記貯留された洗い水を前記スラリーの作
成に使用する、請求項１に記載の汚染土壌処理方法。
【請求項３】
前記袋型枠は布地からなり、
前記袋型枠を養生する工程で前記布地を通過して袋型枠外部へしみ出す液分を貯留する
工程をさらに備え、
前記スラリーを作成する工程で、前記貯留された液分を前記スラリーの作成に使用する
、請求項１または２に記載の汚染土壌処理方法。
【請求項４】
前記袋型枠の内部に前記スラリーを供給する工程で、前記袋型枠は地表に敷設される、
請求項１または２に記載の汚染土壌処理方法。
【請求項５】
有害物質を含有する土壌を、袋型枠に詰めて固形化させるための装置であって、
入口および出口を有し、前記入口から前記有害物質を含有する土壌が投入され、前記土
壌に対する所定割合の水および固化材を前記土壌とともに混合してスラリーを作成し、前
記スラリーを前記出口から排出する混合攪拌機と、
上流端が前記混合攪拌機の前記出口と接続し、下流端が前記袋型枠の充填口と接続する
スラリー経路と、
前記スラリー経路上に設置されて前記上流端から前記下流端の方向に前記スラリーを圧
送するポンプとを備える、汚染土壌処理装置。
【請求項６】
上流端が前記ポンプよりも下流側で前記スラリー経路と接続し、下流端が前記混合攪拌
機と接続する還流経路と、
前記ポンプから吐出されて前記スラリー経路を流下する水を前記還流経路あるいは前記
スラリー経路の下流側へ選択的に導く還流用弁機構と、
前記スラリー経路のうち前記ポンプよりも下流側の区間から分岐して延びる貯留経路と、
前記貯留経路の下流端と接続する貯留槽と、
前記ポンプから吐出されて前記スラリー経路を流下する水を前記貯留経路あるいは前記
スラリー経路の下流側へ選択的に導く貯留用弁機構と、
前記貯留槽から前記混合攪拌機または前記還流経路まで延びる給水経路とをさらに備え
る、請求項５に記載の汚染土壌処理装置。
【請求項７】
前記袋型枠は布地からなり、
前記スラリーが充填された前記袋型枠の内部から前記布地を通過して前記袋型枠の外部
へしみ出す液分を収集する受け皿と、
前記受け皿に収集された液分を前記貯留槽に供給する液分供給手段をさらに備える、請
求項６に記載の汚染土壌処理装置。
【請求項８】
一端が前記還流経路と接続し、他端が前記スラリー経路のうち前記上流端から前記ポン
プまでの区間と接続する短絡経路をさらに備える、請求項６または７に記載の汚染土壌処
理装置。
【請求項９】
前記スラリー経路を流下する流体の状態を検出するセンサと、
前記センサからの信号を受信して前記還流用弁機構および前記貯留用弁機構を制御する
切換コントローラをさらに備える、請求項６〜８のいずれかに記載の汚染土壌処理装置。
【請求項１０】
前記給水経路に設置される給水ポンプと、
前記給水経路に設置される開閉弁と、
前記開閉弁を制御する給水コントローラをさらに備える、請求項６〜９のいずれかに記載の汚染土壌処理装置。
【請求項１１】
請求項５〜１０のいずれかに記載の汚染土壌処理装置と、
空の前記袋型枠を前記スラリー経路の前記下流端へ搬入する搬入手段と、
前記スラリーを充填された前記袋型枠を前記スラリー経路の前記下流端から保管場所へ
搬出する搬出手段とを備え、
前記袋型枠内のスラリーは前記保管場所で固形化する、汚染土壌処理システム。
【請求項１２】
放射性物質を含有する土壌を、布型枠に袋詰めにして固形化させるための装置であって、
入口および出口を有し、前記入口から前記放射性物質を含有する土壌が投入され、前記
土壌に対する所定割合の水および固化材を前記土壌とともに混合してスラリーを作成し、
前記スラリーを前記出口から排出する混合攪拌機と、
上流端が前記混合攪拌機の前記出口と接続し、下流端が前記布型枠の充填口と接続する
スラリー経路と、
前記スラリー経路上に設置されて前記上流端から前記下流端の方向に前記スラリーを圧
送するポンプと、
上流端が前記ポンプよりも下流側で前記スラリー経路と接続し、下流端が前記混合攪拌
機と接続する還流経路と、
前記ポンプから吐出されて前記スラリー経路を流下する水を前記還流経路あるいは前記
スラリー経路の下流側へ選択的に導く還流用弁機構と、
前記スラリー経路のうち前記ポンプよりも下流側の区間から分岐して延びる貯留経路と、
前記貯留経路の下流端と接続する貯留槽と、
前記ポンプから吐出されて前記スラリー経路を流下する水を前記貯留経路あるいは前記
スラリー経路の下流側へ選択的に導く貯留用弁機構と、
前記貯留槽から前記混合攪拌機または前記還流経路まで延びる給水経路と、
前記スラリーが充填された前記布型枠の布地を通過して布型枠の外部へしみ出す液分を
収集する受け皿と、
前記受け皿に収集された液分を前記貯留槽に供給する液分供給手段とを備える、汚染土
壌処理装置。
【請求項１３】
有害物質および／または放射性物質を含有する水と、前記水に対する所定割合の土壌および固化材とを、混合攪拌機で混合してスラリーを作成する工程と、
前記スラリーを管に流す工程と、
前記管の下流端に対応する形状の充填口のみを開口として有する袋型枠を準備する工程と、
前記管の前記下流端を前記充填口に接続して前記袋型枠の内部に前記スラリーを供給する工程と、
前記スラリーが前記袋型枠の内部で固形化するまで前記袋型枠を養生して、前記有害物質および／または前記放射性物質を含有する固形体を製造する工程とを備える、汚染水処理方法。
【請求項１４】
有害物質および／または放射性物質を含有する水を、袋型枠に詰めて固形化させるための装置であって、
入口および出口を有し、前記入口から土壌が投入され、前記土壌に対する所定割合の前記水および固化材を前記土壌とともに混合してスラリーを作成し、前記スラリーを前記出口から排出する混合攪拌機と、
上流端が前記混合攪拌機の前記出口と接続し、下流端が前記袋型枠の充填口と接続するスラリー経路と、
前記スラリー経路上に設置されて前記上流端から前記下流端の方向に前記スラリーを圧送するポンプとを備える、汚染水処理装置。
【手続補正２】
【補正対象書類名】明細書
【補正対象項目名】発明の名称
【補正方法】変更
【補正の内容】
【発明の名称】汚染土壌または汚染水処理方法、汚染土壌または汚染水処理装置、および汚染土壌処理システム
【手続補正３】
【補正対象書類名】明細書
【補正対象項目名】００１７
【補正方法】変更
【補正の内容】
【００１７】
本発明による汚染土壌処理装置は、有害物質を含有する土壌を袋型枠に詰めて固形化させるための装置であって、入口および出口を有し入口から有害物質を含有する土壌が投入され、土壌に対する所定割合の水および固化材を土壌とともに混合してスラリーを作成し、スラリーを出口から排出する混合攪拌機と、上流端が混合攪拌機の出口と接続し、下流端が袋型枠の充填口と接続するスラリー経路と、スラリー経路上に設置されて上流端から下流端の方向にスラリーを圧送するポンプとを備える。
【手続補正４】
【補正対象書類名】明細書
【補正対象項目名】００２７
【補正方法】変更
【補正の内容】
【００２７】
本発明による汚染土壌処理装置は、放射性物質を含有する土壌を、布型枠に袋詰めにして固形化させるための装置であって、入口および出口を有し、入口から放射性物質を含有する土壌が投入され、土壌に対する所定割合の水および固化材を土壌とともに混合してスラリーを作成し、スラリーを出口から排出する混合攪拌機と、上流端が混合攪拌機の出口と接続し、下流端が布型枠の充填口と接続するスラリー経路と、スラリー経路上に設置されて上流端から下流端の方向にスラリーを圧送するポンプと、上流端がポンプよりも下流側でスラリー経路と接続し、下流端が混合攪拌機と接続する還流経路と、ポンプから吐出されてスラリー経路を流下する水を還流経路あるいはスラリー経路の下流側へ選択的に導く還流用弁機構と、スラリー経路のうちポンプよりも下流側の区間から分岐して延びる貯留経路と、貯留経路の下流端と接続する貯留槽と、ポンプから吐出されてスラリー経路を流下する水を貯留経路あるいはスラリー経路の下流側へ選択的に導く貯留用弁機構と、貯留槽から混合攪拌機または還流経路まで延びる給水経路と、スラリーが充填された布型枠の布地を通過して布型枠の外部へしみ出す液分を収集する受け皿と、受け皿に収集された液分を貯留槽に供給する液分供給手段とを備える。かかる本発明によれば、放射性物質を含む液分が汚染土壌処理装置の外部へ漏れ出す危険を解消することができる。本発明で布型枠は、液分のしみ出しが止まると保管場所に搬入可能である。運搬の便宜のため、布型枠の縦寸法×横寸法は１５０ｃｍ〜２００ｃｍ×１００ｃｍ〜１２０ｃｍであり、厚み寸法（高さ寸法）が１０〜３０ｃｍの布団形状あるいはマット形状であるのが好ましい。液分供給手段は、例えば上流端が受け皿と接続し、下流端が貯留槽と接続する液分経路である。あるいは例えば受け皿から貯留槽まで運搬可能な容器である。
本発明による汚染水処理方法は、有害物質および／または放射性物質を含有する水と、この水に対する所定割合の土壌および固化材とを、混合攪拌機で混合してスラリーを作成する工程と、スラリーを管に流す工程と、管の下流端に対応する形状の充填口のみを開口として有する袋型枠を準備する工程と、管の下流端を袋型枠の充填口に接続して袋型枠の内部にスラリーを供給する工程と、スラリーが袋型枠の内部で固形化するまで袋型枠を養生して、有害物質および／または放射性物質を含有する固形体を製造する工程とを備える。
本発明による汚染水処理装置は、有害物質および／または放射性物質を含有する汚染水を、袋型枠に詰めて固形化させるための装置であって、入口および出口を有し、入口から土壌が投入され、土壌に対する所定割合の汚染水および固化材を土壌とともに混合してスラリーを作成し、スラリーを出口から排出する混合攪拌機と、上流端が混合攪拌機の出口と接続し、下流端が袋型枠の充填口と接続するスラリー経路と、スラリー経路上に設置されて上流端から下流端の方向にスラリーを圧送するポンプとを備える。